(57)【特許請求の範囲】
【請求項１】
弾性変形可能な細棒状の部材が、着用者の後頭部に掛け渡せるように弧状に形成されたヘッドバンドと、
前記ヘッドバンドの両端部に形成され、着用者の頭部における各耳の上側に対応する部分に当接してから折り返すようになされた略半円弧状の耳回り部と、
前記耳回り部の、着用者の頭部における各耳の上側に対応する部分に、それぞれ当接用に設定された当接支持部と、
前記耳回り部の各自由端部に設けられた音源部とを備え、
前記音源部は、
前記耳回り部の各自由端部の先端から、着用者の頭部の側に向けて当該耳回り部に対して略直角に延設されたバーチカル方式のハウジングと、
前記ハウジングの内部に設けられ、着用者の耳孔方向へ向けて直接鼓膜に届くように音を発する音声出力部とを有することを特徴とするヘッドホン。
【請求項２】
前記ヘッドバンドの内部には、
当該ヘッドホンの両端部を互いに近接させる方向に働く弾性力を調整するための弧形状の弾性線材が配設されることを特徴とする請求項１に記載のヘッドホン。
【発明の詳細な説明】
【０００１】
【発明の属する技術分野】
この発明は、ヘッドバンドを後頭部に渡って掛けるヘッドホンに関する。
【０００２】
【従来の技術】
従来、テープレコーダやラジオ等の音響機器で音楽やその他の音声信号などを聞く場合には、一般にヘッドホンが使用されるが、このヘッドホンとしては、人間の頭部の上側にヘッドバンドを掛ける上掛けタイプのヘッドホン、頭部の下側にヘッドバンドを回して掛ける下掛けタイプのヘッドホン、後頭部側にヘッドバンドを掛ける後掛けタイプのヘッドホン等が、それぞれ存在する。
【０００３】
また、音源となるヘッドホンのドライバユニットからの音声の出力口の配置としては、その音声出力口部分を側頭部に垂直方向に向けて耳の孔を覆うように配置されるオープンエア方式のヘッドホンの他に、使用感向上等を目的として、このドライバユニットを耳孔内に直接装着し音声出力口部分を人間の耳孔内の頭部の前側に向いた耳孔部分へ真直に音声出力がなされるように配置したいわゆるインナーイヤーバーチカル方式のヘッドホンも近年使用されるようになっている。
【０００４】
このような従来のヘッドホンにおいて、ドライバユニットが大型で重い場合には、上掛け式のヘッドバンドを使用者の頭部に載せるようにして自重を支えるか、又は外耳の耳輪部分にめがねのつる（テンプル）状の係止具を引掛けることにより自重を支える構成となっている。
【０００５】
また、ヘッドホンのドライバユニットが小型で軽い場合には、耳孔の開口部分にドライバユニットの音声出力口部分を挟み込んで着用するよう構成されている。
【０００６】
【発明が解決しようとする課題】
前述のような従来のヘッドホンでは、そのドライバユニットが大型で重い場合には、頭部に付けて使用する際に、大きな違和感を感ずることが多い。また、ドライバユニットが小型で軽い場合でも耳孔の開口部分に挟み込んだときの違和感があり、しかも耳孔に押し入れて耳孔周囲の弾力で挟み付けることによりヘッドホン全体の自重を支持することになるので少しの動作でも外れ易く、ヘッドホンの使用感が悪いという問題があった。
【０００７】
本発明は上述の点に鑑み、軽量小型化して違和感を与えないようにするとともに、使用感が良好なヘッドホンを新たに提供することを目的とする。
【０００８】
【課題を解決するための手段】
本発明の請求項１に記載のヘッドホンは、弾性変形可能な細棒状の部材が、着用者の後頭部に掛け渡せるように弧状に形成されたヘッドバンドと、ヘッドバンドの両端部に形成され、着用者の頭部における各耳の上側に対応する部分に当接してから折り返すようになされた略半円弧状の耳回り部と、耳回り部の、着用者の頭部における各耳の上側に対応する部分に、それぞれ当接用に設定された当接支持部と、耳回り部の各自由端部に設けられた音源部とを備え、音源部は、耳回り部の各自由端部の先端から、着用者の頭部の側に向けて当該耳回り部に対して略直角に延設されたバーチカル方式のハウジングと、ハウジングの内部に設けられ、着用者の耳孔方向へ向けて直接鼓膜に届くように音を発する音声出力部とを有することを特徴とする。
【０００９】
上述のように構成することにより、ヘッドバンドを後頭部に掛け渡すように着用した際に、ヘッドバンドの両自由端側の各当接支持部が適度に各耳の上側部位に圧接して軽量な音源部を含むヘッドホンの自重の大部分を支え、かつ音源部が耳孔内に挿入されて各当接支持部と相俟って所定の着用位置を保持するので、この着用時にヘッドホンの自重による違和感を除き、使用感を良好にできる。
【００１１】
加えて、軽量小型のバーチカル方式音源用のハウジングを、音の発射方向が顔面のある前方向へ延びる耳孔方向に適合する状態に適切に保持し、良好なリスニング状態を安定して設定できる。
請求項２に記載の発明は請求項１記載のヘッドホンにおいて、ヘッドバンドの内部に、当該ヘッドホンの両端部を互いに近接させる方向に働く弾性力を調整するための弧形状の弾性線材が配設されることを特徴とする。
【００１２】
【発明の実施の形態】
本発明のヘッドホンの実施の形態が図１乃至図４に示されている。図示するように、本実施例の形態に係るヘッドホン１０は、人間の後頭部Ｈに掛け渡すように細棒状の部材であるつるを弧状に形成したヘッドバンド１２の両自由端部にそれぞれケース１４が設けられている。
【００１３】
このヘッドバンド１２は、弾性に富む合成樹脂例えばポリプロピレン製で、図示しないがその内部に両自由端を互いに接近させる方向に働く弾性力を調整する弧形状の弾性線材と、電気信号を伝達するリード線とが配設されている。なお、ヘッドバンド１２の弾性力が合成樹脂の弾性で十分に確保できる場合には、弾性線材を省略して構成してもよい。
【００１４】
また、ヘッドバンド１２の両自由端部には、それぞれヘッドバンド１２と連続して設けられるケース１４とが相俟って、略半円弧状の耳回り部が構成されている。なお、耳回り部の一部が角張って折曲される形状にしても良い。
【００１５】
本実施の形態では、図３及び図４に示すように各耳回り部の湾曲部中央から各自由端にかけての部分がケース１４によって構成されている。このケース１４は、その外側曲面部がヘッドバンド１２との接続部から自由端部にかけて、徐々に軸太になってから先細りとなる流線形状に形成されている。さらにケース１４の先端には使用時に頭部Ｈ側へ向く側平面部から頭部Ｈ側へ向けてケース１４に対し略直角に交差する方向に延出するよう略小半球形状の音源部としてのハウジング１６が一体的に形成されている。
【００１６】
図３に示すようにハウジング１６におけるヘッドバンド１２の各自由端側の矢印Ａ方向（ヘッドホンの使用時に着用者の顔の向く方向）の側部には、音源部としての音声出力部用の小孔１８を多数穿設したカバー２０が配設されている。
【００１７】
図１及び図３に示すようにこのカバー２０とハウジング１６とで囲まれた空間内部には、図示しないコイル及び振動板等で構成された小型音源としてのドライバユニット２２が配置され、カバー２０の小孔１８等を通じて矢印Ａ方向に音声を発するよう構成されている。なお、ドライバユニット２２をケース１４内に設け、音をカバー２０側へ導くよう構成しても良い。また音源部を、ドライバユニット２２の一部が耳孔内に入るように構成し、若しくはドライバユニット２２の全部が耳孔内に入るように構成し、又はドライバユニット２２の全部を耳孔の外に出してこのドライバユニット２２から続く音を導く管の音声出力部だけを耳孔内に入るように構成しても良い。
【００１８】
図１、図２及び図３に示すようにヘッドホン１０におけるヘッドバンド１２には、その各自由端の図に矢印Ａで示した方向に対する先端からハウジング１６までの距離Ｌを置いた部分に頭部Ｈに対する当接支持部１２Ａを構成する。
【００１９】
この当接支持部１２Ａは、ヘッドバンド１２の頭部Ｈに向いた側部を他の部分より幅広で滑らかな平面状に形成し、その両側の角側部を丸めて形成されている。図１に示すように各当接支持部１２Ａは、ヘッドホン１０を頭部Ｈに着用した際にヘッドバンド１２が全体的に弾性変形してハウジング１６の延出方向に対し略直交する状態となるよう構成されている。
【００２０】
また、各当接支持部１２Ａ部分には、頭部Ｈとの当接を良好にし、違和感を与えないようにするため凹凸を付けて滑り止めとしたり、スポンジを被せて表面を柔らかく、かつ冷たい感じを与えないようにするよう構成しても良い。
【００２１】
なお、各ケース１４を各当接支持部１２Ａ部分の位置まで一体的に延出するよう構成し、各ケース１４自体に各当接支持部１２Ａを設けても良い。
【００２２】
ヘッドホン１０は、図示しないがその一方のケース１４から先端にマイクジャックを付けたコードが引き出され、このマイクジャックをテープレコーダ、ラジオ等の音響機器に接続することにより、音響機器からコードを介して送られた電気信号を一方のケース１４のドライバユニット２２に入力するとともに、ヘッドバンド１２内のリード線を介して他方のケース１４のドライバユニット２２に電気信号を入力し、これら２個のドライバユニット２２を駆動して音を発生させるよう構成されている。
【００２３】
次に、上述のように構成した本実施の形態のヘッドホンの使用法及び作用について説明する。
【００２４】
図１及び図２に示すように、ヘッドホン１０は頭部Ｈの後頭部にヘッドバンド１２を渡すように掛け、各当接支持部１２Ａが頭部Ｈの各耳の上側に当接し、かつ各ハウジング１６が各耳の孔Ｅの中に入る状態となるように着用する。
【００２５】
この着用状態では、ヘッドバンド１２が図１に想像線で示す位置から実線で示す位置まで弾性変形したことによる付勢力によって、各当接支持部１２Ａが頭部Ｈの各耳の上側へ適度な押圧力で弾性的に圧接する。これとともに、各ハウジング１６が各耳孔Ｅ内へ所定量侵入した状態に保持される。なお、各ハウジング１６は各当接支持部１２Ａに対して頭部Ｈ側へ突出する長さが一定となるように構成されているので、ヘッドバンド１２が弾性変形したときの付勢力が各当接支持部１２Ａで受けられることによって各ハウジング１６を耳孔Ｅの奥へ押し込む力として働くことはない。よって、ハウジング１６が耳孔Ｅ内へ強く押し込まれて不快感を生じさせることがない。
【００２６】
また、ヘッドホン１０は、全体として頭部Ｈの両耳の上側部分に対し各当接支持部１２Ａを適度に圧接して自重の大部分を支持するとともに、各ハウジング１６を両耳孔Ｅに挿入して着用位置を保持するので、適切に着用状態を保持でき、しかも着用者が多少動いても外れ落ちるようなことを防止し、違和感なく良好に使用できる。
【００２７】
また、このヘッドホン１０では、バーチカル方式に構成されているので、各ハウジング１６が矢印Ａ方向に音を発生すると、その音は耳孔Ｅの向いた方向へ発射され耳孔Ｅの壁等に反射することなく直接鼓膜へ届き、良好な音響効果が得られる。
【００２８】
また、本実施の形態では、音源部としてのハウジング１６をバーチカル方式としたヘッドホン１０を用いて説明した。しかし本発明では、ドライバユニットの部分、又は音声出力口部分を耳の孔の奥側に向けて配置されるインナーイヤー方式又はコンベンショナル方式のヘッドホンに適用しても良い。
【００２９】
【発明の効果】
以上説明したように本発明のヘッドホンによれば、音源部を軽量小型化して自重による違和感を取り除き、しかも支持部分を適切に分散して使用感を良好にできるという効果が得られる。
【図面の簡単な説明】
【図１】本発明の実施の形態に係るヘッドホンの使用状態を示す平面図である。
【図２】本発明の実施の形態に係るヘッドホンの使用状態を示す斜視図である。
【図３】本発明の実施の形態に係るヘッドホンを示す全体斜視図である。
【図４】本発明の実施の形態に係るヘッドホンを示す側面図である。
【符号の説明】
１０    ヘッドホン
１２    ヘッドバンド
１２Ａ    当接支持部
１４    ケース
１６    ハウジング
２２    ドライバユニット
【図１】
0004135042.tif 000002
【図２】
0004135042.tif 000003
【図３】
0004135042.tif 000004
【図４】
0004135042.tif 000005